【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
互いに癒合するべき少なくとも２つの頸椎体の前面と接触させるために人間の前方頸椎に適用するようになされた平板であって、
癒合するべき隣接する椎体の１つに装着するようになされた少なくとも第１平板セグメントと、癒合するべき隣接する椎体の別の１つに装着するようになされた少なくとも第２平板セグメントとを備え、前記少なくとも第１および第２平板セグメントが、相互に連結して少なくとも一部が重なって前記平板を形成するようになされ、前記平板の長手軸に沿って相互に可動関係にあり、前記少なくとも第１および第２平板セグメントのそれぞれが、
下面であって、頸椎体の少なくとも一方と前記下面に対向する上面とに接触するようになされ、前記平板の長手軸の少なくとも一部に沿って少なくとも一部が凹面である下面と、
前記上面から延長して前記下面を貫通する少なくとも１つの骨ねじ受け穴であって、それぞれが頸椎体の１つの上に位置するようになされ、頸椎体に係合して前記平板を頸椎に装着するための少なくとも１本の骨ねじを受けるようになされている、少なくとも１つの骨ねじ受け穴と、
前記第１および第２平板セグメントを互いに結合するようになされた少なくとも１つの留め具であって、外科医が、前記第１および第２平板セグメントを組み立てかつ前記第１および第２平板セグメントを相互に対して完全に分離できるように、前記第１および第２平板セグメントの少なくとも一方に着脱自在に取り付けてあり、前記平板の長手軸に沿って相互に向かう方向に前記第１および第２平板セグメントが移動するのを助け、前記平板の長手軸に沿って相互から離れる方向に前記第１および第２平板セグメントが移動するのを阻止するようになされた第１位置を有する少なくとも１つの留め具と、
前記骨ねじ受け穴の１つに挿入した１本の骨ねじのみを前記平板に固締するようになされた少なくとも１つの骨ねじ固締具とを含む、平板。
【請求項２】
癒合するべき少なくとも２つの頸椎体の前面と接触させるために人間の前方頸椎に使用するようになされた平板であって、
癒合するべき隣接する椎体の一方に装着するようになされた少なくとも第１平板セグメントと、癒合するべき隣接する椎体の別の１つに装着するようになされた少なくとも第２平板セグメントとを備え、前記少なくとも第１および第２平板セグメントが、相互に連結して少なくとも一部が重なって前記平板を形成するようになされ、前記平板の長手軸に沿って相互に可動関係にあり、前記少なくとも第１および第２平板セグメントのそれぞれが、
下面であって、頸椎体の少なくとも１つと前記下面に対向する上面とに接触するようになされ、前記平板の長手軸の少なくとも一部に沿って少なくとも一部が凹面である下面と、
前記上面から延長して前記下面を貫通する少なくとも１つの骨ねじ受け穴であって、それぞれが頸椎体の１つの上に位置するようになされ、頸椎体に係合して前記平板を頸椎に装着するための骨ねじを受けるようになされている、少なくとも１つの骨ねじ受け穴と、
前記第１および第２平板セグメントを互いに結合するようになされた少なくとも１つの留め具であって、前記第１および第２平板セグメントが相互に対して完全に分離するのを防止するために、前記第１および第２平板セグメントの少なくとも一方に非着脱自在に取り付けてあり、前記平板の長手軸に沿って前記第１および第２平板セグメントを相互に対して移動できるようになされた第１位置を有する、少なくとも１つの留め具と、
前記骨ねじ受け穴の１つに挿入した１本の骨ねじのみを前記平板に固締するようになされた少なくとも１つの骨ねじ固締具とを含む、平板。
【請求項３】
互いに癒合するべき少なくとも２つの頸椎体の前面と接触させるために人間の前方頸椎に適用するようになされた平板であって、
癒合するべき隣接する椎体の１つに装着するようになされた少なくとも第１平板セグメントと、癒合するべき隣接する椎体の別の１つに装着するようになされた少なくとも第２平板セグメントとを備え、前記少なくとも第１および第２平板セグメントが、相互に連結して少なくとも一部が重なって前記平板を形成するようになされ、前記平板の長手軸に沿って相互に可動関係にあり、前記少なくとも第１および第２平板セグメントのそれぞれが、
下面であって、頸椎体の少なくとも１つと前記下面に対向する上面とに接触するようになされ、前記平板の長手軸の少なくとも一部に沿って少なくとも一部が凹面である下面と、
前記上面から延長して前記下面を貫通する少なくとも１つの骨ねじ受け穴であって、それぞれが頸椎体の１つの上に位置するようになされ、頸椎体に係合して前記平板を頸椎に装着するための少なくとも１本の骨ねじを受けるようになされている、少なくとも１つの骨ねじ受け穴と、
前記第１および第２平板セグメントを互いに結合するようになされた少なくとも１つの留め具であって、外科医が、前記第１および第２平板セグメントを組み立てかつ前記第１および第２平板セグメントを相互に対して完全に分離できるように、前記第１および第２平板セグメントの少なくとも一方に着脱自在に取り付けてあり、前記平板の長手軸に沿って相互に向かう方向に前記第１および第２平板セグメントが移動するのを助け、かつ前記平板の長手軸に沿って相互から離れる方向に前記第１および第２平板セグメントが移動するのを阻止するようになされた第１位置を有する、少なくとも１つの留め具と、
前記骨ねじ受け穴に挿入した少なくとも２本の骨ねじをそれぞれ前記平板に固締するようになされた少なくとも１つの骨ねじ固締具とを含む、平板。
【請求項４】
互いに癒合するべき少なくとも２つの頸椎体の前面と接触させるために人間の前方頸椎に適用するようになされた平板であって、
癒合するべき隣接する椎体の１つに装着するようになされた少なくとも第１平板セグメントと、癒合するべき隣接する椎体の別の１つに装着するようになされた少なくとも第２平板セグメントとを備え、前記少なくとも第１および第２平板セグメントが、相互に連結して少なくとも一部が重なって前記平板を形成するようになされ、前記平板の長手軸に沿って相互に可動関係にあり、前記少なくとも第１および第２平板セグメントのそれぞれが、
下面であって、頸椎体の少なくとも１つと前記下面に対向する上面とに接触するようになされ、前記平板の長手軸の少なくとも一部に沿って少なくとも一部が凹面である下面と、
前記上面から延長して前記下面を貫通する少なくとも１つの骨ねじ受け穴であって、それぞれが頸椎体の１つの上に位置するようになされ、頸椎体に係合して前記平板を頸椎に装着するための少なくとも１本の骨ねじを受けるようになされている、少なくとも１つの骨ねじ受け穴と、
前記第１および第２平板セグメントを互いに結合するようになされた少なくとも１つの留め具であって、外科医が、前記第１および第２平板セグメントを組み立てかつ前記第１および第２平板セグメントを相互に対して完全に分離できるように、前記第１および第２平板セグメントの少なくとも一方に着脱自在に取り付けてあり、前記平板の長手軸に沿って前記第１および第２平板セグメントを相互に対して移動できるようになされた第１位置を有する、少なくとも１つの留め具と、
前記骨ねじ受け穴に挿入した少なくとも２本の骨ねじをそれぞれ前記平板に固締するようになされた少なくとも１つの骨ねじ固締具とを含む、平板。
【請求項５】
互いに癒合するべき少なくとも２つの頸椎体の前面と接触させるために人間の前方頸椎に適用するようになされた平板であって、
癒合するべき隣接する椎体の１つに装着するようになされた少なくとも第１平板セグメントと、癒合するべき隣接する椎体の別の１つに装着するようになされた少なくとも第２平板セグメントとを備え、前記少なくとも第１および第２平板セグメントが、相互に連結して少なくとも一部が重なって前記平板を形成するようになされ、前記平板の長手軸に沿って相互に可動関係にあり、前記少なくとも第１および第２平板セグメントのそれぞれが、
下面であって、頸椎体の少なくとも１つと前記下面に対向する上面とに接触するようになされ、前記平板の長手軸の少なくとも一部に沿って少なくとも一部が凹面である下面と、
前記上面から延長して前記下面を貫通する少なくとも１つの骨ねじ受け穴であって、それぞれが頸椎体の１つの上に位置するようになされ、頸椎体に係合して前記平板を頸椎に装着するための少なくとも１本の骨ねじを受けるようになされている、少なくとも１つの骨ねじ受け穴と、
前記第１および第２平板セグメントを互いに結合するようになされた少なくとも１つの留め具であって、前記第１および第２平板セグメントが相互に対して完全に分離するのを防止するために、第１および第２平板セグメントの少なくとも一方に非着脱自在に取り付けてあり、前記平板の長手軸に沿って前記第１および第２平板セグメントを相互に対して移動できるようになされた第１位置を有する、少なくとも１つの留め具と、
前記骨ねじ受け穴に挿入した少なくとも２本の骨ねじをそれぞれ前記平板に固締するようになされた少なくとも１つの骨ねじ固締具とを含む、平板。
【請求項６】
前記第１および第２平板セグメントが、前記平板の長手軸に沿って相互に向かう１つの方向のみに移動するように構成されている、前記請求項の何れか一項に記載の平板。
【請求項７】
前記留め具が、前記平板の長手軸に沿って相互に向かう方向に前記第１および第２平板セグメントが移動するのを助け、前記平板の長手軸に沿って相互から離れる方向に前記第１および第２平板セグメントが移動するのを阻止するようになされた第１位置を有する、請求項２、４、および５の何れか一項に記載の平板。
【請求項８】
前記第１および第２平板セグメントの少なくとも１つが、その中に前記第１および第２平板セグメントの別の１つの少なくとも一部を受けるように構成されている、前記請求項の何れか一項に記載の平板。
【請求項９】
前記第１および第２平板セグメントが、それぞれ隣接する椎体に装着されたとき、隣接する頸椎体の相互に向かう動きに応答して、相互に向かって移動するようになされている、前記請求項の何れか一項に記載の平板。
【請求項１０】
前記第１および第２平板セグメントが、それぞれ隣接する椎体に装着されたとき、隣接する頸椎体の間の椎間腔に圧縮負荷を維持するようになされている、前記請求項の何れか一項に記載の平板。
【請求項１１】
前記第１平板セグメントの前記下面の前記少なくとも一部が、前記第２平板セグメントの前記上面の少なくとも一部と噛み合うように構成されている、前記請求項の何れか一項に記載の平板。
【請求項１２】
前記第１平板セグメントの前記下面の前記少なくとも一部と、前記第２平板セグメントの前記上面の前記少なくとも一部とが、ラチェットを含む、請求項１１に記載の平板。
【請求項１３】
前記ラチェットが、前記平板の中心長手軸に沿った第１方向に前記第１および第２平板セグメントが相互に向かって移動するのを許容し、前記第１方向と反対の方向に移動するのを阻止するように構成されている、請求項１２に記載の平板。
【請求項１４】
前記少なくとも１つの骨ねじ固締具が、前記骨ねじ受け穴の少なくとも１つに少なくとも１本の骨ねじを挿入する前に、前記平板に結合するようになされる、前記請求項の何れか一項に記載の平板。
【請求項１５】
前記少なくとも１つの骨ねじ固締具が、前記少なくとも１つの留め具を前記平板に固締するようになされている、請求項３から５の何れか一項に記載の平板。
【請求項１６】
前記留め具と、前記第１および第２平板セグメントの少なくとも一方の少なくとも一部とに協働的に係合するように構成した器具との組合せで、前記留め具が前記器具によって移動するとき、前記第１および第２平板セグメントが前記平板の中心長手軸に沿って相互に対して移動する、前記請求項の何れか一項に記載の平板。
【請求項１７】
椎間脊椎インプラントと組み合わせた、前記請求項の何れか一項に記載の平板。
【請求項１８】
癒合促進物質と組み合わせた、前記請求項の何れか一項に記載の平板。
【請求項１９】
前記癒合促進物質が、骨、ヒドロキシアパタイト、骨形態形成タンパク質、骨産生暗号付け遺伝子の少なくとも１つである、請求項１８に記載の平板。
【請求項２０】
前記平板を頸椎に係合させるための骨ねじをさらに備え、前記平板と前記骨ねじの一方の少なくとも一部が生体吸収可能材料である、前記請求項の何れか一項に記載の平板。
【請求項２１】
瘢痕形成を抑制するための物質、及び抗微生物材料の少なくとも１つと組み合わせた、前記請求項の何れか一項に記載の平板。
【請求項２２】
少なくとも１つの脊椎固定インプラントとさらに組み合わせた、請求項１から１６の何れか一項に記載の平板。
【手続補正２】
【補正対象書類名】明細書
【補正対象項目名】発明の名称
【補正方法】変更
【補正の内容】
【発明の名称】可動セグメントを有する前方頸椎用動的平板